(57)【要約】【課題】筒状体に大量の毛髪束を挿通させた場合やダメージを受けている毛髪束を巻き上げた場合にも、筒状体における毛髪取り込み口近傍において毛髪が折れ難い毛髪保持具を提供すること。【解決手段】一端の開口部２１から他端の開口部２２に向けて毛髪束を挿通可能に構成された筒状体２からなる毛髪保持具１であって、筒状体２は、巻き上げ時に内側に位置する一面シート２３Ａ及び巻き上げ時に外側に位置する他面シート２３Ｂから形成されており、一面シート２３Ａ及び／又は他面シート２３Ｂは、テーバーこわさが０．４ｍＮ・ｍ以上である。筒状体２の一端の開口部２１には、開口部２１に挿入された毛髪束に加わった応力を緩和する応力緩和手段が設けられている。【選択図】図１
2007098121.tif 000002
【特許請求の範囲】
【請求項１】
一端の開口部から他端の開口部に向けて毛髪束を挿通可能に構成された筒状体からなる毛髪保持具であって、
前記筒状体は、巻き上げ時に内側に位置する一面シート及び巻き上げ時に外側に位置する他面シートから形成されており、該一面シート及び／又は該他面シートは、テーバーこわさが０．４ｍＮ・ｍ以上であり、
前記筒状体の前記一端の開口部には、該開口部に挿入された毛髪束に加わった応力を緩和する応力緩和手段が設けられている毛髪保持具。
【請求項２】
前記応力緩和手段は、前記他面シートにおける前記一端の開口部に設けられ且つ前記一面シートに接合されていないフラップである請求項１記載の毛髪保持具。
【請求項３】
前記フラップには補強部材が接合されており、該補強部材の剛性により、該フラップは、前記一面シートに向けて復元力を生じるようになっている請求項２記載の毛髪保持具。
【請求項４】
前記応力緩和手段は、前記他面シートにおける前記一端の開口部に設けられた膨出部である請求項１記載の毛髪保持具。
【請求項５】
前記応力緩和手段は、前記他面シートにおける前記一端の開口部に設けられた切り欠きである請求項１記載の毛髪保持具。
【請求項６】
前記応力緩和手段は、前記他面シートにおける前記一端の開口部に設けられた低荷重伸長材料である請求項１記載の毛髪保持具。
【請求項７】
前記応力緩和手段は、前記他面シートにおける前記一端の開口部に設けられた、前記筒状体の幅方向の折り畳み又は弛みである請求項１記載の毛髪保持具。
【請求項８】
前記応力緩和手段は、前記他面シートにおける前記一端の開口部に設けられた、該一端の開口部から延出し且つ該一端の開口部から延出した部分が前記一面シートから前記他面シートに向けて湾曲している湾曲板状部材である請求項１記載の毛髪保持具。
【発明の詳細な説明】
【技術分野】
【０００１】
本発明は、毛髪束を所定の形状に巻回するときに用いられる毛髪保持具に関する。
【背景技術】
【０００２】
下記特許文献１（特開２００３−３１９８１５号公報）には、一端の開口部から他端の開口部に向けて毛髪束を挿通可能に、シートにより構成された筒状体からなる毛髪保持具が記載されている。特許文献１には、この毛髪保持具における筒状体の一例として、「長手方向に実質的に伸縮性を有しておらず、２枚のシートの長手方向両側部同士を接合させて形成されており、一方のシートのテーバーこわさが０．４ｍＮ・ｍ以下で他方のシートのテーバーこわさが０．４ｍＮ・ｍ超となっている筒状体」が記載されている。
このような筒状体からなる毛髪保持具によれば、ロッド（中芯）を使用しなくても、筒状体に挿通された毛髪束に、容易且つ確実に綺麗なカールを付与することができる。
【０００３】
【特許文献１】特開２００３−３１９８１５号公報
【発明の開示】
【発明が解決しようとする課題】
【０００４】
しかし、特許文献１記載の毛髪保持具においては、例えば、筒状体に大量の毛髪束を挿通させた場合やダメージ（損傷）を受けている毛髪束を巻き上げてパーマ処理を行った場合に、筒状体における毛髪取り込み口（一端の開口部）近傍において、毛髪が折れ易いという問題点がある。毛髪が折れると毛髪には折れた形態でくせ付けされるため好ましくなく、極端な場合には、断毛することもある。
【０００５】
従って、本発明の目的は、筒状体に大量の毛髪束を挿通させた場合やダメージを受けている毛髪束を巻き上げた場合にも、筒状体における毛髪取り込み口近傍において毛髪が折れ難い毛髪保持具を提供することにある。
【課題を解決するための手段】
【０００６】
本発明は、一端の開口部から他端の開口部に向けて毛髪束を挿通可能に構成された筒状体からなる毛髪保持具であって、前記筒状体は、巻き上げ時に内側に位置する一面シート及び巻き上げ時に外側に位置する他面シートから形成されており、該一面シート及び／又は該他面シートは、テーバーこわさが０．４ｍＮ・ｍ以上であり、前記筒状体の前記一端の開口部には、該開口部に挿入された毛髪束に加わった応力を緩和する応力緩和手段が設けられている毛髪保持具を提供することにより、上記目的を達成したものである。
【発明の効果】
【０００７】
本発明の毛髪保持具によれば、筒状体における毛髪取り込み口近傍において毛髪が折れ難い。
【発明を実施するための最良の形態】
【０００８】
以下、本発明の毛髪保持具を、その好ましい一実施形態である第１実施形態について、図面を参照しながら説明する。
本実施形態の毛髪保持具１は、図１（ａ）〜図３に示すように、一端の開口部２１から他端の開口部２２に向けて毛髪束を挿通可能に構成された筒状体２からなる毛髪保持具である。筒状体２は、巻き上げ時に内側に位置する一面シート２３Ａ及び巻き上げ時に外側に位置する他面シート２３Ｂから形成されており、一面シート２３Ａ及び／又は他面シート２３Ｂは、テーバーこわさが０．４ｍＮ・ｍ以上である。筒状体２の一端の開口部２１には、開口部２１に挿入された毛髪束に加わった応力を緩和する応力緩和手段が設けられている。
【０００９】
本実施形態の毛髪保持具１について更に詳述する。本実施形態の毛髪保持具１は、図１（ａ）〜図１（ｃ）に示すように、筒状体２、延設部４及び巻き締め片３を主体として構成されている。
筒状体２は、図１（ａ）〜図１（ｃ）に示すように、一端の開口部２１から他端の開口部２２に向けて毛髪束Ｈ〔図４（ａ）〜図４（ｃ）参照〕を挿通可能に構成されており、扁平形状を有している。筒状体２は、一面シート２３Ａ及び他面シート２３Ｂが接合されて形成されている。詳細には、筒状体２は、一面シート２３Ａと他面シート２３Ｂとを、その長手方向両側部２４、２４同士で接合させて形成されている。一面シート２３Ａは、巻き上げ時に内側に位置するシートで、他面シート２３Ｂは、巻き上げ時に外側に位置するシートである。
【００１０】
筒状体２の大きさは、毛髪の長さやくせ付けしたい場所、挿入する毛髪束の量に応じて適宜設定されるが、好ましくは、長さが５０〜３５０ｍｍ、幅が２０〜１００ｍｍである。
【００１１】
基材シート２３（一面シート２３Ａ及び他面シート２３Ｂに共通する説明を行う際には、「基材シート２３」の表現を用いる）の形成材料としては、例えば、不織布（ポリエチレン不織布、ポリエチレンテレフタレート不織布等）、織布、網状シート、多孔性又は非多孔性の樹脂フィルム（ポリエチレンフィルム、ポリエチレンテレフタレートフィルム等）、紙、高分子材料シート、ゴムシート、又はこれらの複合体等が挙げられる。基材シート２３の厚みは、好ましくは３０〜５００μｍである。
【００１２】
他面シート２３Ｂには、その幅方向に延びるスリット２６が長手方向に離間して複数個設けられている。スリット２６は、他面シート２３Ｂの伸長性を高めることを主目的として形成されている。本実施形態においては、スリット２６の両端部２６Ａは打ち抜き加工により円形に形成されており、両端部２６Ａ以外の中央部２６Ｂは薄刃による切断加工により形成されている。
【００１３】
また、他面シート２３Ｂの一端の開口部２１側には、巻き留め部５１（後述）に係合可能な係合シート片５２が設けられている。係合シート片５２にもスリット２６が形成されており、他面シート２３Ｂは、これらのスリット２６により分断されているが、全体として帯状片となっている。係合シート片５２は、巻き留め部５１に係合可能であれば種々のものを用いることができ、例えば不織布が用いられる。係合シート片５２は、筒状体２の巻き径によって巻き留め部５１との係合位置が筒状体２の長手方向に変わるため、ある程度の長さを有していることが好ましく、例えば、長さが２〜１５ｃｍである。
【００１４】
本実施形態においては、一面シート２３Ａは、坪量１５０ｇ／ｍ2のポリエステル系不織布からなり、スリット２６が形成されていない。他面シート２３Ｂは、坪量５０ｇ／ｍ2のポリエステル系不織布からなり、スリット２６が１０個形成されている。
【００１５】
一面シート２３Ａ及び他面シート２３Ｂの一方又は両方は、テーバーこわさが０．４ｍＮ・ｍ以上であり、好ましくは１ｍＮ・ｍ以上である。このような大きさのテーバーこわさを有していると、巻芯（ロッド）を使用しなくても、毛髪束Ｈが挿通された筒状体２を容易に綺麗な巻き形状で巻き上げることができる。
基材シート２３のどちらか一方のテーバーこわさが０．４ｍＮ・ｍ以上である場合には、一面シート２３Ａのテーバーこわさが０．４ｍＮ・ｍ以上であることが好ましい。両方の基材シート２３のテーバーこわさが０．４ｍＮ・ｍ以上であると更に好ましい。
上記テーバーこわさの上限値は、筒状体２の巻き上げのし易さの観点から１０ｍＮ・ｍである。
尚、前記「テーバーこわさ」は、ＪＩＳ  Ｐ８１２５に規定される「こわさ試験方法」により測定されるテーパーこわさである。
【００１６】
他面シート２３Ｂの両側部２４の外面には、図１（ｂ）及び図１（ｃ）に示すように、その接合部（シール部）の幅とほぼ同幅の帯状の補強部材Ｂ，Ｂがそれぞれ接合されている。補強部材Ｂが他面シート２３Ｂに接合されることによって、筒状体２全体のテーバーこわさが向上している。しかしながら、補強部材Ｂは、筒状体２の両側部２４のみに設けられているため、筒状体２の一端の開口部２１の開口させ易さは特に低下せず、筒状体２への毛髪束Ｈの挿入性は特に低下しない。
【００１７】
筒状体２は、所定形状に巻き上げた状態が保持されるようにくせ付けをされている。詳細には、筒状体２は、図２に示すように、他面シート２３Ｂを外側にしてロール状に巻き上げた状態が保持されるように、所定の手段によってくせ付けをされている。
そのため、筒状体２は、図１（ａ）〜図１（ｃ）に示すように、その長手方向に引き伸ばした状態にして、その状態から解放すると、図２に示すように、ロール状に巻き上げられた状態へと自発的に巻き上げられるようになっている。このような筒状体２からなる毛髪保持具１は、巻き上げ操作が不要である上、クリップ等の巻き上げ形態を保持するための手段が不要であるという利点もある。
筒状体２にくせ付けをするためには、例えば、筒状体２をロール状に巻き上げ、所定の手段によってその巻き上げ形態を保持し、その状態下に筒状体２を所定温度に加熱すればよい。
【００１８】
筒状体２の一端の開口部２１の端部には、図１（ａ）〜図１（ｃ）に示すように、一面シート２３Ａから筒状体２の長手方向（毛髪束Ｈの挿入方向とは反対方向）に延出した延設部４が設けられている。本実施形態においては、一面シート２３Ａと延設部４とは一体的に形成されている。
【００１９】
延設部４における他面シート２３Ｂとは反対側には、巻き留め部５１が設けられている。巻き留め部５１は、係合シート片５２に係合可能となっており、巻き上げ状態の筒状体２における係合シート片５２に巻き留め部５１を係合させることにより、筒状体２の巻き上げ状態を維持できるようになっている。巻き留め部５１としては、例えばメカニカルファスナーのオス部材を用いることができる。
巻き留め部５１は、他面シート２３Ｂの素材との組み合わせによっては、他面シート２３Ｂとも係合可能である。
【００２０】
筒状体２の他端の開口部２２近傍の両側部２４には、それぞれ、両側部２４から筒状体２の幅方向に延出する巻き締め片３，３が設けられている。巻き締め片３は、半円弧形状を有している。
一面シート２３Ａ、他面シート２３Ｂ及び補強部材Ｂは、何れも巻き締め片３に対応する延出領域を有しており、そのため、一面シート２３Ａ、他面シート２３Ｂ及び補強部材Ｂにおける該延出領域の積層体から、巻き締め片３が形成されている。
尚、巻き締め片３の形成方法、形状、大きさ、厚さ、配置等は適宜設定される。
【００２１】
筒状体２の一端の開口部２１には、開口部２１に挿入された毛髪束Ｈに加わった応力を緩和する応力緩和手段が設けられている。本実施形態における応力緩和手段は、他面シート２３Ｂにおける一端の開口部２１に設けられた、一面シート２３Ａに接合されていないフラップ６１である。
【００２２】
フラップ６１は、他面シート２３Ｂにおける一端の開口部２１側の一部の領域からなり、一面シート２３Ａ及び延設部４とは接合されていない。フラップ６１の長さ（筒状体２の長手方向の長さ）は、適宜設定されるが、好ましくは１〜３０ｍｍ、更に好ましくは５〜１５ｍｍである。そのため、フラップ６１は、筒状体２の両側部２４の接合部における、一端の開口部２１側の端部を結ぶ線６１Ａを基端として、一面シート２３Ａからめくれ上がるようになっている。尚、フラップ６１の形状は、第１実施形態におけるフラップ６１のような矩形状に制限されず、例えば台形状、半楕円弧形状、半円弧形状でもよい。
【００２３】
フラップ６１には、筒状体２の長手方向に延びる切れ目６２が設けられている。切れ目６２の長さ、本数、間隔等は、適宜設定される。切れ目６２の長さは、例えば、フラップ６１の一端部から前記線６１Ａを超える長さとすることができ、具体的には２〜４０ｍｍとすることができる。切れ目６２の本数は、例えば１〜８本とすることができる。切れ目６２の間隔は、例えば５〜２０ｍｍとすることができる。
【００２４】
次に、本発明の毛髪保持具の第１実施形態の一使用態様として、パーマ処理により毛髪（頭髪）に直接カールを付与する場合について、図４（ａ）〜図４（ｃ）を参照しながら説明する。
先ず、毛髪束Ｈの量や得ようとするカール形状に応じて、適当な長さ及び幅を有する筒状体２からなる毛髪保持具１を用い、筒状体２の一端の開口部２１を楕円形状に開口し、図４（ａ）に示すように、毛髪束Ｈを一端の開口部２１の中へ挿入する。
【００２５】
毛髪束Ｈを筒状体２に挿通させた後、図４（ａ）及び図４（ｂ）に示すように、筒状体２をその他端の開口部２２の側から、一面シート２３Ａを内側にして巻き上げる。本実施形態においては、筒状体２は、所定形状に巻き上げた状態が保持されるようにくせ付けをされているため、自発的に巻き上がるが、巻き締め片３を手で把持して筒状体２を巻き上げると、筒状体２を確実に且つ必要に応じてきつく巻き上げることができる。
筒状体２を巻き上げた後、図４（ｃ）に示すように、巻き留め部５１と係合シート片５２とを係合させる。その結果、筒状体２が所定の巻径の巻き上げ状態で固定される。
【００２６】
その後、筒状体２の外側からパーマ用の毛髪処理剤を毛髪束Ｈに付与する。所定時間後、筒状体２から毛髪束Ｈを抜き取り、洗髪等して、パーマ処理を完了する。
尚、筒状体２の一端の開口部２１から毛髪束Ｈを挿入させる際には、毛髪束Ｈをよりスムーズに挿入させるために該開口部２１を真円状に開口させてもよい。毛髪束Ｈをフック可能なフック部が設けられた毛髪挿入具（図示せず）を用いると、毛髪束Ｈを筒状体２に容易に挿通できる。毛髪束Ｈの先端を筒状体２の他端の開口部２２からはみ出させてもよい。
【００２７】
ところで、毛髪束Ｈの挿通された筒状体２が一面シート２３Ａを内側にして巻回された際には、筒状体２に挿通されて巻き上げられた毛髪束Ｈが直線状に復元しようとする力によって、筒状体２の一端の開口部２１近傍の毛髪束Ｈに、屈曲させる方向の応力が加わる。
而して、本実施形態の毛髪保持具１によれば、筒状体２の一端の開口部２１には、開口部２１に挿入された毛髪束Ｈに加わった応力を緩和する応力緩和手段として、他面シート２３Ｂにおける一端の開口部２１側の領域に、一面シート２３Ａに接合されていないフラップ６１が設けられている。
【００２８】
そのため、図５に示すように、フラップ６１が一面シート２３Ａから離間する方向にめくれ上がり、筒状体２の一端の開口部２１近傍の毛髪束Ｈに加わった応力が緩和される。しかも、フラップ６１が毛髪束Ｈによってめくれ上がる方向に押圧されると、その反力で、筒状体２は、図５に示す矢印Ｄの方向に押さえ付けられる。この点からも、筒状体２の一端の開口部２１近傍の毛髪束Ｈに加わった応力が緩和される。その結果、筒状体２に大量の毛髪束Ｈを挿通させた場合やダメージを受けている毛髪束Ｈを巻き上げた場合にも、筒状体２の一端の開口部２１に挿入された毛髪束Ｈが折れ難い。
特に、本実施形態の毛髪保持具１においては、フラップ６１に切れ目６２が形成されているため、フラップ６１が筒状体２の幅方向に広がりながらめくれ上がり、毛髪束Ｈに加わる応力が更に緩和され易くなっている。
【００２９】
次に、本発明の毛髪保持具の別の実施形態である第２実施形態〜第７実施形態について説明する。第２実施形態〜第７実施形態については、第１実施形態とは異なる点を中心に説明し、特に説明しない点については第１実施形態についての説明が適宜適用される。第２実施形態〜第７実施形態においても、第１実施形態と同様に使用され、第１実施形態と同様の効果が奏される。
【００３０】
第２実施形態の毛髪保持具は、フラップ６１が一面シート２３Ａに向けて復元力を生じるようになっている（図６に示すように、一端の開口部２１側の端部を結ぶ線６１Ａを基端として、図６（ｂ）に示す矢印の方向に復元力が生じるようになっている）。その他の構成は第１実施形態と同様である。第２実施形態においては、図６（ａ）及び図６（ｂ）に示すように、フラップ６１の両側部に補強部材Ｂが接合されており、補強部材Ｂの剛性により、フラップ６１が一面シート２３Ａに向けて復元力を生じるようになっている構成を実現している。フラップ６１の両側部の補強部材Ｂは、一面シート２３Ａの両側部２４の補強部材Ｂが延在したものである。
尚、フラップ６１が一面シート２３Ａに向けて復元力を生じるようになっている構成は、フラップ６１に補強部材Ｂを設ける構成以外にも、例えば、フラップ６１を、一面シート２３Ａに向けて復元力が生じる方向に形状が記憶された形状記憶材料から形成することにより実現することができる。
【００３１】
第２実施形態の毛髪保持具は、前述の通り、第１実施形態の毛髪保持具の構成に加え、フラップ６１が一面シート２３Ａに向けて復元力を生じるようになっている構成を備えている。そのため、第１実施形態と同様の効果に加えて以下の効果も奏される。具体的には、毛髪保持具を繰り返し使用しても、フラップ６１がへたり難い。へたったフラップ６１は、毛髪保持具の使用時に邪魔となり易いと共に、取り扱いの不便となり易く、また、フラップ６１による応力緩和効果（毛髪束に加わった応力を緩和する効果）を生じ難くする。従って、一面シート２３Ａに向けて復元力が生じ、へたり難いフラップ６１によれば、毛髪保持具の使用時に邪魔となり難いと共に、取り扱いの不便となり難く、しかも、フラップ６１による応力緩和効果が持続する。
尚、フラップ６１の復元力が強過ぎると、却って、本発明の一番の目的である応力緩和効果を阻害する場合がある。従って、フラップ６１の復元力は、応力緩和効果を阻害しない範囲で設定することが好ましい。
【００３２】
第３実施形態の毛髪保持具においては、図７（ａ）及び図７（ｂ）に示すように、応力緩和手段は、他面シート２３Ｂにおける一端の開口部２１に設けられた膨出部である。該膨出部は、他面シート２３Ｂにおける一端の開口部２１側の領域を、一面シート２３Ａから離間する方向に向けて張り出させることにより形成されている。このような形状は、例えば、他面シート２３Ｂにおける、端縁２５を含む一端の開口部２１側の領域を、一面シート２３Ａから離間する方向にめくり上げた形状に塑性変形させることにより形成することができる。他面シート２３Ｂの張り出し量Ｌ１は、適宜設定されるが、好ましくは５〜３０ｍｍである。
【００３３】
このように構成された第３実施形態の毛髪保持具によれば、毛髪束Ｈの挿通された筒状体２が巻き上げられた際に、筒状体２の一端の開口部２１近傍の毛髪束Ｈは、前記膨出部を形成する他面シート２３Ｂ側に移動し得るため、毛髪束Ｈに加わった応力が緩和される。そのため、第１実施形態の毛髪保持具と同様の効果が奏される。
【００３４】
第４実施形態の毛髪保持具においては、図８に示すように、応力緩和手段は、他面シート２３Ｂにおける一端の開口部２１側に設けられた切り欠き２５である。該切り欠き２５は、他端の開口部２２に向けて凹んた形状となっている。切り欠き２５の形状としては、例えば、半楕円形状、半円形状が挙げられる。切り欠き量Ｌ２は、適宜設定されるが、好ましくは５〜３０ｍｍである。
【００３５】
このように構成された第４実施形態の毛髪保持具によれば、毛髪束Ｈの挿通された筒状体２が巻き上げられた際に、筒状体２の一端の開口部２１近傍の毛髪束Ｈは、切り欠き２５の端縁側に移動し得るため、毛髪束Ｈに加わった応力が緩和される。そのため、第１実施形態の毛髪保持具と同様の効果が奏される。
【００３６】
第５実施形態の毛髪保持具においては、図９に示すように、応力緩和手段は、他面シート２３Ｂにおける一端の開口部２１に設けられた低荷重伸長材料（低荷重の負荷で伸長する材料）６３である。低荷重伸長材料６３の長さ（筒状体２の長手方向の長さ）は、適宜設定されるが、好ましくは１０〜５０ｍｍである。「低荷重伸長材料」とは、５Ｎ加重下での伸長率が５％以上あるような材料をいう。低荷重伸長材料６３としては、例えば、ポリエチレン不織布、ポリプロレン不織布、ポリエステル不織布、ゴム糸から製造される織布、ゴム繊維から製造される不織布等が挙げられる。
【００３７】
低荷重伸長材料６３の一部（一端の開口部２１により近い部分。図９参照）には、一面シート２３Ａとは接合していない部分Ｅが存在している。
他面シート２３Ｂにおける一端の開口部２１側の領域を低荷重伸長材料６３から構成する場合には、低荷重伸長材料６３と、低荷重の負荷では伸長しない材料とを長手方向に接合して一体化したり、これら両材料を、接合せずに長手方向に連続するように一部を重ね合わせて配設すればよい。
【００３８】
このように構成された第５実施形態の毛髪保持具によれば、毛髪束Ｈの挿通された筒状体２が巻き上げられた際に、筒状体２の一端の開口部２１近傍の毛髪束Ｈは、低荷重伸長材料６３を押圧し、それを伸長させて一面シート２３Ａから離間する方向に移動し得るため、毛髪束Ｈに加わった応力が緩和される。そのため、第１実施形態の毛髪保持具と同様の効果が奏される。
【００３９】
第６実施形態の毛髪保持具においては、図１０（ａ）に示すように、応力緩和手段は、他面シート２３Ｂにおける一端の開口部２１に設けられた、筒状体２の幅方向の折り畳み６４である。幅方向に折り重ねられる量は、要求される応力緩和量に応じて適宜設定すればよい。
図１０（ａ）に示すように折り畳まれた他面シート２３Ｂは、例えば、図１０（ｂ）に示すように、一端の開口部２１となる側の領域６４’が５角形状に形成された素材を用い、該領域６４’が矩形状になるように、Ｖ字形に配置された２つの折り畳み線６４Ａ，６４Ａで折り畳んで形成することができる。その状態で、一面シート２３Ａと他面シート２３Ｂとを筒状体２の両側部２４となる領域で接合すれば、筒状体２が形成される。
【００４０】
このように構成された第６実施形態の毛髪保持具によれば、毛髪束Ｈの挿通された筒状体２が巻き上げられた際に、筒状体２の一端の開口部２１近傍の毛髪束Ｈは、一端の開口部２１側の折り畳み６４を押圧し、それを押し拡げて、一面シート２３Ａから離間する方向に移動し得るため、毛髪束Ｈに加わった応力が緩和される。そのため、第１実施形態の毛髪保持具と同様の効果が奏される。
尚、第６実施形態においては、応力緩和手段は、他面シート２３Ｂにおける一端の開口部２１側に設けられた、筒状体２の幅方向の弛み（図示せず）でもよい。
【００４１】
第７実施形態の毛髪保持具においては、図１１（ａ）及び図１１（ｂ）に示すように、応力緩和手段は、他面シート２３Ｂにおける一端の開口部２１に設けられた、一端の開口部２１から延出し且つ一端の開口部２１から延出した部分６５Ａが一面シート２３Ａから他面シート２３Ｂに向けて湾曲している湾曲板状部材６５である。
本実施形態における湾曲板状部材６５は、図１１（ａ）に示すように、正面視で略三角形状で、側面視で上端部側が湾曲した板状部材からなる。湾曲板状部材６５は、例えば樹脂フィルム、金属から形成される。湾曲板状部材６５は、図１１（ｂ）に示すように、他面シート２３Ｂにおける一端の開口部２１の内面側に接合されており、一端の開口部２１から延出した部分６５Ａが一面シート２３Ａから他面シート２３Ｂに向けて湾曲することになる。
【００４２】
このように構成された第７実施形態の毛髪保持具によれば、毛髪束Ｈの挿通された筒状体２が巻き上げられた際に、筒状体２の一端の開口部２１近傍の毛髪束Ｈは、湾曲板状部材６５における延出した部分６５Ａ側に移動し得るため、毛髪束Ｈに加わった応力が緩和される。そのため、第１実施形態の毛髪保持具と同様の効果が奏される。
【００４３】
尚、湾曲板状部材６５は、前述の通り、筒状体２の他面シート２３Ｂに接合されていてもよいが、接合されていなくてもよい。他面シート２３Ｂに接合されていない湾曲板状部材６５は、筒状体２の一端の開口部２１から毛髪束Ｈを挿入する際に、筒状体２の一端の開口部２１に設置して用いられる。湾曲板状部材６５をこのように設置した後、湾曲板状部材６５と一面シート２３Ａとの間に毛髪束Ｈを挿入させれば、湾曲板状部材６５が他面シート２３Ｂに接合された毛髪保持具〔図１１（ｂ）参照〕と同様の効果が奏される。
あるいは、筒状体２を使用して毛髪束Ｈを巻き上げた後に、湾曲板状部材６５を他面シート２３Ｂと毛髪束との間に挿入しても、湾曲板状部材６５が他面シート２３Ｂに接合された毛髪保持具〔図１１（ｂ）参照〕と同様の効果が奏される。
【００４４】
本発明の毛髪保持具は、前記実施形態に制限されることなく、本発明の趣旨を逸脱しない限り、適宜変更が可能である。
応力緩和手段は、筒状体の一端の開口部に挿入された毛髪束に加わった応力を緩和するものであれば、前記実施形態における各応力緩和手段に制限されない。
一面シート２３Ａ及び他面シート２３Ｂは、１枚のシート素材から形成されていてもよい。その場合には、そのシート素材の幅方向中央部を折り返し線として折り返して筒状体２を形成すればよい。
【００４５】
また、本発明の毛髪保持具は、パーマ処理により毛髪にカールを付与する場合に限らず、毛髪束を巻回した後、ドライヤー等により熱処理したり、乾燥した毛髪を巻回状態で保持したり、濡れた状態の毛髪を巻回状態で保持し、自然乾燥させたりして、毛髪にカールを付与する場合等にも適用することができる。
【図面の簡単な説明】
【００４６】
【図１】図１（ａ）は、本発明の毛髪保持具の第１実施形態を示す正面斜視図である。図１（ｂ）は、第１実施形態の毛髪保持具の背面斜視図である。図１（ｃ）は、図１（ｂ）に示すＣ−Ｃ断面図である。
【図２】図２は、くせ付けにより巻き上がった状態の第１実施形態の毛髪保持具を示す斜視図である。
【図３】図３は、第１実施形態の毛髪保持具における筒状体の一端の開口部側を示す背面図である。
【図４】図４（ａ）〜図４（ｃ）は、第１実施形態の毛髪保持具を用いて毛髪束にカールを付与する手順を順次示す斜視図である。
【図５】図５は、毛髪束が挿通された状態の第１実施形態の毛髪保持具を示す斜視図である。
【図６】図６（ａ）は、第２実施形態の毛髪保持具における筒状体の一端の開口部側を示す背面図（図３対応図）である。図６（ｂ）は、図６（ａ）に示すＸ−Ｘ断面図である。
【図７】図７（ａ）は、第３実施形態の毛髪保持具における筒状体の一端の開口部側を示す斜視図である。図７（ｂ）は、図７（ａ）の側面図である。
【図８】図８は、第４実施形態の毛髪保持具における筒状体の一端の開口部側を示す背面図（図３対応図）である。
【図９】図９は、第５実施形態の毛髪保持具における筒状体の一端の開口部側を示す背面図（図３対応図）である。
【図１０】図１０（ａ）は、第６実施形態の毛髪保持具における筒状体の一端の開口部側を示す背面図（図３対応図）である。図１０（ｂ）は、第６実施形態の毛髪保持具における他面シートの素材を示す図である。
【図１１】図１１（ａ）は、第７実施形態の毛髪保持具における湾曲板状部材を示す斜視図である。図１１（ｂ）は、第７実施形態の毛髪保持具における筒状体の一端の開口部近傍を示す断面図〔図６（ｂ）対応図〕である。
【符号の説明】
【００４７】
１  毛髪保持具
２  筒状体
２１  一端の開口部
２２  他端の開口部
２３  基材シート
２３Ａ  一面シート
２３Ｂ  他面シート
２４  側部
２５  端部、切り欠き
２６  スリット
３  巻き締め片
４  延設部
５１  巻き留め部
５２  係合シート片
６１  フラップ
６２  切れ目
６３  低荷重伸長材料
６４  折り畳み
６５  湾曲板状部材
Ｂ  補強部材
Ｈ  毛髪束
【図１】
2007098121.tif 000003
【図２】
2007098121.tif 000004
【図３】
2007098121.tif 000005
【図４】
2007098121.tif 000006
【図５】
2007098121.tif 000007
【図６】
2007098121.tif 000008
【図７】
2007098121.tif 000009
【図８】
2007098121.tif 000010
【図９】
2007098121.tif 000011
【図１０】
2007098121.tif 000012
【図１１】
2007098121.tif 000013